(57)【要約】      （修正有）【課題】身体の保温・加温が有効かつ相乗的に高められる。【解決手段】肩延出部１１付近のメススナップ１５（肩連結部）は、布団１の上向オススナップ１７（中央連結部）と連結され、肩延出部１１は折り返されて、肩が露出され、肩延出部１１が身体の上に折り返されるので、肩延出部１１を身体の保温に使うことができる。上向メススナップ（脚連結部）１８と脚の露出についても同様である。身体に近い遠赤外線発生２から遠赤外線を発するので身体が温められ、身体から遠い吸熱再放射布では吸熱再放射されるので、布団１の外に放射されようとする熱を吸収して遠赤外線を再放射できて、さらに加温効果が高められる。【選択図】図２
2010207293.tif 000002
【特許請求の範囲】
【請求項１】
身体の上に掛けられる布団において、
身体の肩部分にあたる付近において、布団の側縁から外方へ延出され、肩を覆う肩延出部と、
この肩延出部付近から布団の肩付近にかけて設けられた肩連結部と、
上記布団の中央付近に設けられた中央連結部とを備え、
この中央連結部と上記肩連結部とは互いに連結され、当該連結によって上記肩延出部を取り出して、肩を露出させることを特徴とする布団。
【請求項２】
身体の上に掛けられる布団において、
身体の肩部分にあたる付近において、布団の側縁から外方へ延出され、肩を覆う肩延出部と、
この肩延出部の先端付近に設けられた肩先連結部と、
上記布団の中央付近と肩付近とのほぼ中間に設けられた中央肩連結部とを備え、
この中央肩連結部と上記肩先連結部とは互いに連結され、当該連結によって、布団と肩延出部との間から腕または手を出して、上記身体の脇の隙間を塞ぐことを特徴とする布団。
【請求項３】
身体の上に掛けられる布団において、
身体の足部分または脚部分にあたる付近に設けられた脚連結部と、
上記布団の中央付近に設けられた中央連結部とを備え、
この中央連結部と上記脚連結部とは互いに連結され、当該連結によって上記布団の足部分または脚部分を折り返して、足または脚を露出させることを特徴とする布団。
【請求項４】
請求項１における布団中央付近に設けられた中央連結部と、請求項３における布団中央付近に設けられた中央連結部とは同じもので共通しており、この中央連結部には上記肩連結部と上記脚連結部とともに連結されることを特徴とする布団。
【請求項５】
上記中央連結部、肩連結部及び脚連結部は、上記布団または肩延出部の表面に設けられ、上記布団または肩延出部は、上記連結にあたり、それぞれの表面側で折り返し可能となっていることを特徴とする請求項１、２、３または４記載の布団。
【請求項６】
身体に近い側に配置される遠赤外線を発する遠赤外線発生層と、
この遠赤外線発生層に対して、身体と反対側に重ねられる、熱を吸収しこの吸収した熱を遠赤外線として放射する吸熱再放射層と、
この吸熱再放射層に対して、身体と反対側に重ねられる、臭いを吸収または分解する消臭層とを備えたことを特徴とする布団。
【請求項７】
上記布団の周縁には細菌または雑菌を殺菌またはその繁殖を防止する抗菌縁体が取り付けられていることを特徴とする請求項６記載の布団。
【請求項８】
上記消臭層は、繊維にカキタンニン成分を含むまたは付着された布であることを特徴とする請求項６または７記載の布団。
【請求項９】
上記吸熱再放射層は、繊維に溶岩の成分を含むまたは付着された布であることを特徴とする請求項６、７または８記載の布団。
【請求項１０】
上記請求項１、請求項２または／及び請求項３の構造と、上記請求項６の構造をともに有することを特徴とする布団。
【発明の詳細な説明】
【技術分野】
【０００１】
本発明は、布団に関し、特に患者向けの布団または保温効果の高い布団に関する。
【背景技術】
【０００２】
従来、患者向けの布団としては、敷布団の肩部分から外方に延出する肩カバーを設け、この肩カバーを折り返して肩に掛けるものが考えられている。また、保温効果の高い布団としては、内部に遠赤外線を発する詰綿を詰め、外側の身体側に蓄熱性に優れた布を配置したものが考えられている。
【０００３】
【特許文献１】実用新案登録３０４２３３６号公報
【特許文献２】特開２００４−８２２９号公報
【０００４】
しかしながら、肩付近に注射などをするとき、肩カバーを身体から離さなくてはならず、肩カバーを身体保温に使うことができなかった。また、上記の従来のものは、身体側に蓄熱性の布を配置するので、身体そのものが実はそれほど温まらないという問題点があった。
【発明の開示】
【発明が解決しようとする課題】
【０００５】
本件発明は、上述した課題を解決するためになされたものであり、本発明の目的は、注射や点滴などの治療においても、布団の素材を身体保温に有効に使うことができるようにすることにある。また、本発明の目的は、身体への加温性に優れているようにすることにある。
【課題を解決するための手段】
【０００６】
上記目的を達成するために、本発明は、身体の肩部分にあたる付近において、布団の側縁から外方へ延出され、肩を覆う肩延出部と、  この肩延出部の先端付近に設けられた肩連結部と、  上記布団の中央付近に設けられた中央連結部とを備え、  この中央連結部と上記肩連結部とは互いに連結され、当該連結によって上記肩延出部を折り返して、肩を露出させる。
【０００７】
また、本発明は、身体に近い側に配置される遠赤外線を発する遠赤外線発生層と、  この遠赤外線発生層に対して、身体と反対側に重ねられる、熱を吸収しこの吸収した熱を遠赤外線として放射する吸熱再放射層と、  この吸熱再放射層に対して、身体と反対側に重ねられる、臭いを吸収または分解する消臭層とを備えた。
【発明の効果】
【０００８】
これにより、肩延出部が身体の上に折り返されるので、肩延出部を身体の保温に使うことができ、布団の素材を身体保温に有効に使うことができる。また、身体に近い層から遠赤外線を発するので身体が温められ、身体から遠い層では吸熱再放射されるので、布団の外に放射されようとする熱を吸収して遠赤外線を再放射できて、さらに加温効果が高められる。上記両構造によって、身体の保温・加温が有効かつ相乗的に高められる。
【発明を実施するための最良の形態】
【０００９】
（１）布団１の断面構造
図１は布団１の断面構造を示す。布団の下側つまり身体に近い側／接する側には、遠赤外線を発する遠赤外線発生布（層）２が配置されている。この遠赤外線発生布２に対して、吸熱再放射布（層）３が、身体に遠い側／身体と反対側に重ねられる。
【００１０】
この吸熱再放射布３は、熱を吸収しこの吸収した熱を遠赤外線として放射するものである。この吸熱再放射布３に対して、消臭布（層）４が、身体に遠い側／身体と反対側にさらに重ねられる。消臭布４は、臭いを吸収または分解するものである。
【００１１】
上記遠赤外線発生布２、吸熱再放射布３、消臭布４が積層された布団１の周縁は、帯状の抗菌縁帯（体）５が縫合などによって取り付けられている。この抗菌縁帯５は長手方向中央で折り曲げられ、上記布団１の周縁を挟むようにして、抗菌縁帯５の上下外側から縫合される。これにより、三層の布団１の周縁がほつれない。
【００１２】
身体に近い層／接する層の遠赤外線発生布２から遠赤外線が発され、遠赤外線発生布２と身体との間には遮蔽するものが無いまたは身体により近いので、身体がこの遠赤外線で直接暖められ加温される。また、この遠赤外線発生布２の外側の吸熱再放射布３では、身体から発散され、布団１の外に逃げようとする熱が吸収され、この吸収した熱が遠赤外線として再度放射される。
【００１３】
これにより、布団１の外へ逃げようとする熱が逃げないように吸熱再放射布３に引き止められ、さらに、上記再放射される遠赤外線によって、身体がさらに温められ加温される。よって、上記遠赤外線発生布２だけでなく、吸熱再放射布３によっても、さらに加温効果が高められる。また、遠赤外線発生布２から発した遠赤外線が身体に到達する前に、吸熱再放射布３に吸収されてしまうことがなく、身体に多くの遠赤外線を放射できる。
【００１４】
通常安静にしていて布団で横になっている身体であっても、発汗はあり、このような発汗によって、場合によって排泄物によって、布団１が汚れたり不快臭が発生したりする。特に上記遠赤外線の身体への放射によって、発汗作用は亢進される。しかし、消臭布４の消臭作用によって、臭い成分は分解されたり吸収されたり無臭化されたりされて、不快臭が消される。
【００１５】
上記抗菌縁帯５は、細菌または雑菌を殺菌またはその繁殖を防止する。これにより、免疫力の低下した患者に対して、細菌または雑菌が増殖するのを防いだり、細菌または雑菌を殺菌したりできる。上記遠赤外線発生布２、吸熱再放射布３、消臭布４はキルティング加工６が施されている。これにより、遠赤外線発生布２、吸熱再放射布３、消臭布４が互いにずれないように固定される。
【００１６】
（２）布団１の外観構造
図２、図３及び図４は布団１の外観構造を示す。上記方形状で可撓性があり折りたたみ可能で薄手の布団１の左右の肩部分にあたる付近において、布団１の側縁から外方へ一対の肩延出部１１、１１が連結されて延出されている。この肩延出部１１、１１は身体の顔の両側に位置するように延出されており、折り曲げられて肩の下に入れられて、肩を覆って保温している。
【００１７】
この肩延出部１１は方形状で先端が丸く延出している。この肩延出部１１の基縁の下面には下向メススナップ１２（メス型のスナップボタン。以下同じ）が３つ取り付けられ、布団１の左右の肩部分の縁の上面には上向オススナップ１３（オス型のスナップボタン。以下同じ）が３つ取り付けられている。これら、下向メススナップ１２と上向オススナップ１３とが連結されたり離されたりして、布団１に肩延出部１１が着脱可能となっている。
【００１８】
したがって、この肩延出部１１を布団１から外すと、肩付近が露出して注射などの治療を行うことができる。また、肩延出部１１の中央付近（先端付近）やや外側の下面には下向メススナップ１４（肩先連結部）が取り付けられている。さらに、布団１の肩付近の角の上面には上向メススナップ１５（肩連結部）が取り付けられている。また、この上向メススナップ１５からやや脚寄りの位置、つまり布団１の中央付近と肩付近とのほぼ中間の位置の布団１の側縁の下面には下向オススナップ１６（中央肩連結部）が取り付けられている。
【００１９】
さらに、この下向オススナップ１６からさらに脚寄りの位置の布団１の中央付近の側縁の上面には、上向オススナップ１７（中央連結部）が取り付けられている。ここで、肩延出部１１の先端の下向メススナップ１４（肩先連結部）は、肩の下に入り込んで、さらに上記下向オススナップ１６（中央肩連結部）に連結可能及び取り外し可能となっている。これにより、肩延出部１１を肩の上縁だけでなく側縁でも布団１１に連結したり取り外したりでき、冷えやすい肩部分を上方だけでなく側方からも保温できる。
【００２０】
図３に示すように、この状態において、肩延出部１１と布団１との間からは、手や腕などを出すことができ、点滴などの治療を行うことができる。この場合、下向メススナップ１４は、布団１中央の下向オススナップ１６に連結されるから、手や腕などを出しても、身体の脇の下などの隙間をふさぐことができ、保温・加温に優れている。手や腕を出し入れするときは、下向メススナップ１４と下向オススナップ１６とを取り外してもよいし、そのまま出し入れしてもよい。
【００２１】
図４に示すように、布団１の肩付近の上向メススナップ１５（肩連結部）は、上記上向オススナップ１７（中央連結部）に連結可能及び取り外し可能となっている。このとき、肩延出部１１は肩の下から引き出され取り出され、布団１の角付近は折られて、肩付近、上腕または／及び下腕が露出可能となり、これらへの注射または点滴などの治療が可能となる。
【００２２】
この場合、肩延出部１１の先端の下向メススナップ１４は、布団１本体の下向オススナップ１６に連結されたままでもよいし、取り外されてもよい。連結されたままであると、図４に示すように、布団１の肩付近、肩延出部１１をジグザグに折り重ねて折り返すことができる。取り外されると、布団１の上に肩延出部１１全体を重ねることができる。このような肩付近における折り返し・連結は左右個別に行うことができるし、左右同時に行うこともできる。
【００２３】
上記布団１の身体の足部分または脚部分にあたる付近の角の上面には、上向メススナップ１８（脚連結部）が取り付けられている。この上向メススナップ１８は、上記上向オススナップ１７（中央連結部）に連結可能及び取り外し可能となっている。このとき、布団１の足付近または脚付近の角付近は折り返されて、足、下脚または／及び大腿が露出可能となり、これらへの注射または点滴などの治療が可能となる。このような脚付近における折り返し・連結は左右個別に行うことができるし、左右同時に行うこともできる。
【００２４】
肩側の上向メススナップ１５（肩連結部）が連結されるスナップと、脚側の上向メススナップ１８（脚連結部）が連結されるスナップとは、ともに同じ上向オススナップ１７（中央連結部）で共通している。つまり、上向オススナップ１７（中央連結部）には、肩側の上向メススナップ１５（肩連結部）が連結されるし、脚側の上向メススナップ１８（脚連結部）も連結される。これにより、肩を露出するときと、脚を露出するときとで、上向オススナップ１７（中央連結部）が共用されて、連結部の数を少なくできる。
【００２５】
上述の肩付近の露出、脚付近の露出では、布団１または／及び肩延出部１１は、上記連結にあたり、それぞれの表面側で折り返し可能となっている。これにより、肩付近の露出、脚付近の露出を容易に維持でき、治療に支障が生じない。
【００２６】
また、上記各スナップ１２、１３、１４、１５、１６、１７、１８は、布団１の端縁付近に設けられているので、これらを互いに連結するとき、これらのスナップ１２、１３、１４、１５、１６、１７、１８の上からだけでなく、下からも挟圧できるので、これらの連結が容易となる。また、布団１の端縁付近に設けられていれば、連結されたこれらのスナップ１２、１３、１４、１５、１６、１７、１８の取り外しも容易となる。
【００２７】
（３）布団１の素材
遠赤外線発生布２としては、例えば「ロンウェーブ」（株式会社クラレの製品）が用いられる。この「ロンウェーブ」は、アクリル繊維またはその他の繊維に超微粒子セラミックスが内蔵され／練り込まれている。このセラミックスの働きにより、体温近くの摂氏４０度前後において、遠赤外線が外部へと放射されて、人体への加温効果が発揮される。摂氏４０度前後において、遠赤外線の発生量が最も多い。
【００２８】
上記「ロンウェーブ」の発する遠赤外線の波長は、５．０μｍ以上にわたってほぼまんべんなく多く、上記ゼオライトの発する遠赤外線の波長は、１．５乃至６．０μｍ付近が非常に多く、「ロンウェーブ」の発する遠赤外線の波長は、８乃至１６μｍ付近が非常に多い。遠赤外線発生布２としては、遠赤外線を発生できれば、他のどのような素材でもよいし、中赤外線、中遠赤外線を発生する素材でもよい。
【００２９】
上記吸熱再放射布３としては、例えば「富士山溶岩シーツ」（おとぎの国http://store。shopping.yahoo.co.jp/otogino/ba0612.html）が用いられる。富士さんの溶岩の粉末が繊維に練り込まれて、溶岩の成分が含まれているまたは付着されている。このような溶岩シーツは、身体から出た熱を吸収し、この吸収した熱を遠赤外線として放射する。
【００３０】
吸熱再放射布３としては、他の溶岩シーツ、他の溶岩シートでもよいし、熱を吸収しこの吸収した熱を遠赤外線として放射できれば、他のどのような素材でもよいし、再放射される赤外線は、遠赤外線のほか、中遠赤外線、中赤外線を発生する素材でもよい。
【００３１】
上記消臭布４としては、例えば繊維にカキタンニン成分を含むまたは付着された布が用いられる。これは以下のようにして生産される。まず、消臭布４となる布を毛羽焼きして、苛性ソーダの濃溶液に、摂氏５〜１８度ほどの低温で１〜３分ぐらい浸す。これにより、天然撚りがなくなり、繊維断面が円形に近くなって絹のような光沢が出てきて、重量、強伸度も増加する。
【００３２】
次いで、上記加工で縮んだ上記布を引き伸ばして幅出しをし、プリントする。そして、柿渋のカキタンニン成分を溶かした水溶液の中にこの布を浸して染め、カキタンニン成分を繊維に浸透させて含ませ発色させる。次いで、この布を乾燥させて、布内に付着したカキタンニン成分を布に固着／固定させる。次いで、この布をせっけん液などで処理してソーピングし、レジンサンフォする。
【００３３】
なお、レジン加工／樹脂加工によって、繊維にカキタンニン成分を付着、付与してもよい。このようなカキタンニン成分によって、ノネナールなどの身体から発する臭い成分、不快臭成分が分解または吸収される。このような消臭布４としては、消臭できればどのような素材でもよい。例えば二酸化チタンによる光触媒反応を有する布、例えば「シャインアップ」（株式会社クラレの製品）でもよいし、株式会社信州セラミックスから販売されている布などでもよい。上記消臭には、防臭、減臭などの意味が含まれる広義であるが、狭義であってもよい。
【００３４】
上記抗菌縁帯（体）５としては、例えば「サニター３０」（株式会社クラレの製品）が用いられる。この「サニター３０」は、ポリエステル繊維の溶融紡糸の際に制菌剤を練り込むことによって、繊維上の菌の増殖を抑制するエステル原綿である。抗菌縁帯５としては、抗菌作用を発揮できればどのような素材でもよい。この抗菌には、殺菌、制菌、防菌、除菌などの意味が含まれる広義であるが、狭義であってもよい。
【００３５】
（４）布団１の消臭効果・加温効果
図５〜図１０は、各不快臭成分に対する消臭効果の実験結果を示す。従来例Ｐは、無地のカーゼと通常の綿などの布地を積層し、本発明の布団１と同じ厚さにしたものである。本布団Ｉは上記実施例の布団１である。
【００３６】
この実験では５リットルのテドラーバック／容器に、本布団１または従来例Ｐを１０ｃｍ×１０ｃｍの大きさに切って入れ、このテドラーバック／容器内に気体の不快臭成分を１００％充填し、濃度１００％とし、３０分後、６０分後、１２０分後の不快臭成分の濃度をそれぞれ計測した。
【００３７】
図５は、不快臭成分がアンモニア（し尿臭）の例であり、本布団Ｉでは、３０分後にほぼ１００％近くまで除去され、６０分後、１２０分後と時間が経過するにしたがって、この１００％の除去状態は維持された。一方、従来例Ｐでは、３０分後にほぼ４０％近くまで除去されたが、この後６０分後、１２０分後と時間が経過しても、４０％以上除去されなかった。
【００３８】
図６は、不快臭成分が硫化水素（卵腐敗臭）の例であり、本布団Ｉでは、３０分後〜６０分後にほぼ２５〜３０％まで除去され、１２０分後３５％ぐらいまで除去された。一方、従来例Ｐでは、３０分後に８〜９％ぐらいまで除去されたが、この後６０分後、１２０分後と時間が経過しても、５〜９％以上除去されなかった。
【００３９】
図７は、不快臭成分がピリジン（タバコ等の臭い）の例であり、本布団Ｉでは、３０分後にほぼ４５％まで除去され、６０分後にほぼ５２〜５３％まで除去され、１２０分後５５〜５７％ぐらいまで除去された。一方、従来例Ｐでは、３０分後に３８〜３９％ぐらいまでしか除去されず、６０分後にほぼ４０％までしか除去されず、１２０分後でも４８〜４９％ぐらいまでしか除去されなかった。
【００４０】
図８は、不快臭成分がトリメチルアミン（魚の腐敗臭）の例であり、本布団Ｉでは、３０分後にほぼ６８〜６９％まで除去され、６０分後にほぼ７８〜７９％まで除去され、１２０分後８９〜９０％ぐらいまで除去された。一方、従来例Ｐでは、３０分後に１８〜１９％ぐらいまでしか除去されず、６０分後にほぼ２０〜２１％までしか除去されず、１２０分後でも２７〜２８％ぐらいまでしか除去されなかった。
【００４１】
図９は、不快臭成分がメチルメルカプタン（タマネギ腐敗臭）の例であり、本布団Ｉでは、３０分後にほぼ１０％まで除去され、６０分後にほぼ１０％まで除去され、１２０分後も１０％ぐらいまで除去と変化はなかった。一方、従来例Ｐでは、３０分後に０〜１％ぐらいまでしか除去されず、６０分後にほぼ５％までしか除去されず、１２０分後でも５％ぐらいまで除去と変化はなかった。
【００４２】
図１０は、不快臭成分がノネナール（加齢臭）の例であり、本布団Ｉでは、１２０分後８０％ぐらいまで除去された。一方、従来例Ｐでは、１２０分後でも５５％ぐらいまでしか除去されなかった。
【００４３】
以上の実験から本発明の布団１は、ノネナール（加齢臭）以外に、メチルメルカプタン（タマネギ腐敗臭）、トリメチルアミン（魚の腐敗臭）、ピリジン（タバコ等の臭い）、硫化水素（卵腐敗臭）、アンモニア（し尿臭）といった不快臭まで除去できることが明らかとなった。
【００４４】
また、加温効果の実験では、本発明の布団１を健康な成人男性の身体に覆い、サーモグラフィー試験を行ったところ、３０分経過で大腿部、脇、首などに温度上昇がみられ、６０分経過で膝、肘、顔まで温度上昇領域が拡がり、１２０分経過で、足首、手首、頭部まで温度上昇領域がさらに拡がった。
【００４５】
同じ実験を、本布団１と同じ厚さのタオルケットで行ったところ、１２０分経過しても、顕著な温度上昇領域の拡がりがみられず、１２０分経過で大腿部の温度上昇領域がわずかに拡がった。以上のことから、本発明の保温効果・加温効果は高いといえる。
【００４６】
（５）布団１の使用方法
布団１は通常は掛け布団として使用され、身体の上に掛けられる。しかし、敷き布団、肌掛け布団、炬燵布団、座布団、毛布としても使用可能である。この場合、身体側に遠赤外線発生布２が当たるようにされる。したがって、敷き布団として使用されるときには、表裏反転されて使用される。この場合でも、上記の効果は達成される。
【００４７】
本布団１は病人・けが人などの患者の身体用であるが、健康な人間の身体用であってもよいし、幼児、乳幼児用であってもよいし、犬、猫などのペット・動物の身体用であってもよい。
【００４８】
（６）他の実施の形態
本発明は、上記実施例に限定されず、種々変更可能である。例えば、遠赤外線発生布２、吸熱再放射布３、消臭布４、抗菌縁帯５は、単層のほか、複数層になっていてもよい。遠赤外線発生布２、吸熱再放射布３、消臭布４、抗菌縁帯５、キルティング加工６の一部または全部は省略されてもよい。
【００４９】
また、遠赤外線発生布２、吸熱再放射布３、消臭布４の積層順番は一部入れ替わっても、全部入れ替わってもよい。さらに、遠赤外線発生布２、吸熱再放射布３、消臭布４の一部または全部が複数となり、この複数が他の布（層）を挟むように構成されてもよい。キルティング加工６は、遠赤外線発生布２、吸熱再放射布３、消臭布４の全部だけでなく、これらの一部対して行われてもよい。
【００５０】
肩延出部１１の形状は、方形状のほか、台形状、三角形状、半円状、円状など、どのような形状でもよいし、長さ、幅、大きさも任意であり、数も一対のほか３つ以上でもよいし１つでもよい。肩延出部１１は布団１に縫合されていたり、一体形成されていたりしてもよい。
【００５１】
下向メススナップ１２、上向オススナップ１３、下向メススナップ１４、上向メススナップ（肩連結部）１５、下向オススナップ１６、上向オススナップ（中央連結部）１７、上向メススナップ（脚連結部）１８は、布団１または肩延出部１１の周縁付近ではなく、布団１または肩延出部１１の周縁から内に入った箇所に設けられてもよく、上記連結ができれば、どのような位置に取り付けられていてもよい。
【００５２】
このようなスナップ１２、１３、１４，１５、１６、１７、１８は、もっと多く設けられて、布団、肩延出部１１が、何重にも折りたたまれてもよいし、布団１または肩延出部１１の中央部のいずれに設けられて、布団１または肩延出部１１の周縁部だけでなく中央部でも折り畳まれてもよい。
【００５３】
上向オススナップ（中央連結部）１７は２つにされ、それぞれに、上向メススナップ（脚連結部）１８と上向メススナップ（肩連結部）１５とが別々に連結されてもよい。これらのスナップ１２、１３、１４、１５、１６、１７、１８は、面状ファスナー、線状ファスナー、ボタンとボタンホール、紐、紐とボタン、クリップなど、連結や取り外しができれば何でもよい。
【００５４】
消臭布４はカキタンニン成分によるもののほか、光触媒によるもの、活性炭などの臭い吸着剤や、エントラント、バイロンまたは／及びサニター３０などの抗菌作用を有する素材からなっていてもよい。これにより、排泄物や褥瘡からの剥離片などの汚物や雑菌・細菌などが付着してもこれらが分解され、雑菌の繁殖を押さえるかまたは繁殖を押さえ、抗菌・消臭の効果を発揮し、清潔に保たれる。
【００５５】
上記消臭布４は、他に、シャインアップ、バンブー繊維、キチンキトサン繊維、ディスメルなどでもよい。このシャインアップは、ポリエステル繊維とナイロン繊維とからなる複合繊維に金属含有セラミックス系の特殊消臭剤が練り込まれており、二酸化チタンによる光触媒反応により消臭と抗菌効果が発揮される。株式会社信州セラミックスから販売されている布などでも同様のものがある。
【００５６】
上記バンブー繊維（竹繊維）は、竹からつくられた繊維であり、抗菌、消臭、吸湿（湿気の吸収）、調湿（湿気／湿度の自動調整）、放湿（湿気の排出）、遠赤外線発生、静電気が発生しにくいなどの性質を有する。またバンブー繊維は、光沢性、発色性、熱の放射性にも優れている。さらに、バンブー繊維は、染色性、発色性に優れ、着心地、肌触りもよい。調湿作用は内側の湿度が上がると湿気を外に排出し、内側の湿度が下がると外気の湿気を吸収する作用であって、内側の湿度を一定に保つ作用である。
【００５７】
上記キチンキトサン繊維は、キチンキトサンの成分を繊維表面にコーティングまたは繊維内部に練り込まれている。この繊維表面のコーティングまたは繊維内部の練り込みは、後述するバイオゼストセラまたはセラムＡにおけるセラムックスのコーティングまたは練り込みと同様の手法によって行われる。
【００５８】
このキチンキトサンの成分は、カニや海老の甲羅から周波数出された成分である。キチンキトサン繊維の布は、水虫の菌またはメチシリン耐性黄色ブドウ球菌に対する抗菌性、殺菌性が非常に強く、他に抗カビ性、防臭性も有している。また、キチンキトサン繊維の布は、水なじみがよく、夏涼しく、冬暖かく感じ、吸湿（湿気の吸収）、調湿（湿気／湿度の調整）、放湿（湿気の排出）の性質を有する。さらに、キチンキトサン繊維の布は、天然繊維なので皮膚へのなじみもよく、静電気が発生しにくく、洗濯耐性もよく、染色性、光沢性に優れている。
【００５９】
このディスメルは、東洋紡績株式会社から販売されている。この布については、有限会社高研他が権利者となっている実用新案権第３０５６５７３号、又は第３０６１３２４号の公報内に記載されており、これらのものが購入されて本考案の内布２及び外布などに使用される。
【００６０】
このディスメルは、アクリレート系繊維のアンモニア消臭及び抗菌素材である。すなわち、ｐＨ緩衝能（ｐＨ変化を緩和する能力）を有する架橋アクリル系繊維が配合されている不織布にカルボン基が付着されており、このカルボン基（ＣＯＯＨ）にアンモニア（ＮＨ3）が作用するとイオン結合により無臭のカルボン酸アンモニウム塩（ＣＯＯＨＮＨ4）が生成されることで、アンモニア臭が除去され、アンモニアによる雑菌繁殖を押さえる。これにより、ディスメルは、消臭作用及び抗菌作用を有する。このディスメルはふんわりとした綿状であり、保温作用がある。
【００６１】
（７）他の発明の効果
［１］身体の上に掛けられる布団において、  身体の肩部分にあたる付近において、布団の側縁から外方へ延出され、肩を覆う肩延出部と、  この肩延出部付近から布団の肩付近にかけて設けられた肩連結部と、  上記布団の中央付近に設けられた中央連結部とを備え、  この中央連結部と上記肩連結部とは互いに連結され、当該連結によって上記肩延出部を取り出して、肩を露出させることを特徴とする布団。これにより、肩延出部が身体の上に折り返されるので、肩延出部の身体の保温に使うことができ、布団の素材を身体保温に有効に使うことができる。
【００６２】
［２］身体の上に掛けられる布団において、  身体の肩部分にあたる付近において、布団の側縁から外方へ延出され、肩を覆う肩延出部と、  この肩延出部の先端付近に設けられた肩先連結部と、  上記布団の中央付近と肩付近とのほぼ中間に設けられた中央肩連結部とを備え、  この中央肩連結部と上記肩先連結部とは互いに連結され、当該連結によって、布団と肩延出部との間から腕または手を出して、上記身体の脇の隙間を塞ぐことを特徴とする布団。これにより、腕や手を布団から出しても脇の隙間などが塞がれ、布団と肩延出部を身体保温に有効に使うことができる。
【００６３】
［３］身体の上に掛けられる布団において、  身体の足部分または脚部分にあたる付近に設けられた脚連結部と、  上記布団の中央付近に設けられた中央連結部とを備え、  この中央連結部と上記脚連結部とは互いに連結され、当該連結によって上記布団の足部分または脚部分を折り返して、足または脚を露出させることを特徴とする布団。これにより、また、身体に近い層から遠赤外線を発するので身体が温められ、身体に遠い層では吸熱再放射されるので、布団の外に放射されようとする熱を吸収して遠赤外線を再放射できて、さらに加温効果が高められる。
【００６４】
［４］請求項１における布団中央付近に設けられた中央連結部と、請求項３における布団中央付近に設けられた中央連結部とは同じもので共通しており、この中央連結部には上記肩連結部と上記脚連結部とともに連結されることを特徴とする布団。これにより、２つの中央連結部を１つで共用できる。
【００６５】
［５］上記中央連結部、肩連結部及び脚連結部は、上記布団または肩延出部の表面に設けられ、上記布団または肩延出部は、上記連結にあたり、それぞれの表面側で折り返し可能となっていることを特徴とする請求項１、２、３または４記載の布団。これにより、肩付近の露出、脚付近の露出などを容易に維持・保持でき、治療などに支障が生じない。
【００６６】
［６］身体に近い側に配置される遠赤外線を発する遠赤外線発生層と、  この遠赤外線発生層に対して、身体と反対側に重ねられる、熱を吸収しこの吸収した熱を遠赤外線として放射する吸熱再放射層と、  この吸熱再放射層に対して、身体と反対側に重ねられる、臭いを吸収または分解する消臭層とを備えたことを特徴とする布団。
【００６７】
これにより、身体に近い層／接する層の遠赤外線発生層から遠赤外線が発され、遠赤外線発生層と身体との間には遮蔽するものが無いまたは身体により近いので、身体がこの遠赤外線で直接暖められ加温される。また、この遠赤外線発生層の外側の吸熱再放射層では、身体から発散され、布団の外に逃げようとする熱が吸収され、この吸収した熱が遠赤外線として再度身体に放射される。
【００６８】
［７］上記布団の周縁には細菌または雑菌を殺菌またはその繁殖を防止する抗菌縁体が取り付けられていることを特徴とする請求項６記載の布団。これにより、免疫力の低下した患者に対して、細菌または雑菌が増殖するのを防いだり、細菌または雑菌を殺菌したりできる。
【００６９】
［８］上記消臭層は、繊維にカキタンニン成分を含むまたは付着された布であることを特徴とする請求項６または７記載の布団。これにより、ノネナールなどの身体から発する臭い成分、不快臭成分が分解または吸収される。
【００７０】
［９］上記吸熱再放射層は、繊維に溶岩の成分を含むまたは付着された布であることを特徴とする請求項６、７または８記載の布団。これにより、身体から布団の外に逃げようとする熱が吸収され、この吸収した熱が遠赤外線として再度身体に放射される。
【００７１】
［１０］  上記請求項１、請求項２または／及び請求項３の構造と、上記請求項６の構造をともに有することを特徴とする布団。これにより、請求項１、請求項２または請求項３の構造と、上記請求項６の構造の両構造によって、身体の保温・加温が有効かつ相乗的に高められる。
【産業上の利用可能性】
【００７２】
身体の保温・加温が有効かつ相乗的に高められる。肩延出部１１付近のメススナップ１５（肩連結部）は、布団１の上向オススナップ１７（中央連結部）と連結され、肩延出部１１は折り返されて、肩が露出され、肩延出部１１が身体の上に折り返されるので、肩延出部１１を身体の保温に使うことができる。
【００７３】
上向メススナップ（脚連結部）１８と脚の露出についても同様である。身体に近い遠赤外線発生２から遠赤外線を発するので身体が温められ、身体から遠い吸熱再放射布３では吸熱再放射されるので、布団１の外に放射されようとする熱を吸収して遠赤外線を再放射できて、さらに加温効果が高められる。
【図面の簡単な説明】
【００７４】
【図１】布団１の断面構造を示す。
【図２】布団１の外観構造を示す。
【図３】布団１の肩延出部１１付近を示す。
【図４】布団１の肩延出部１１付近を示す。
【図５】不快臭成分アンモニア（し尿臭）に対する消臭効果の実験結果を示す。
【図６】不快臭成分硫化水素（卵腐敗臭）に対する消臭効果の実験結果を示す。
【図７】不快臭成分ピリジン（タバコ等の臭い）に対する消臭効果の実験結果を示す。
【図８】不快臭成分トリメチルアミン（魚の腐敗臭）に対する消臭効果の実験結果を示す。
【図９】不快臭成分メチルメルカプタン（タマネギ腐敗臭）に対する消臭効果の実験結果を示す。
【図１０】不快臭成分ノネナール（加齢臭）に対する消臭効果の実験結果を示す。
【符号の説明】
【００７５】
１…布団、２…遠赤外線発生布（層）、
３…吸熱再放射布（層）、４…消臭布（層）、
５…抗菌縁帯（体）、６…キルティング加工、
１１…肩延出部、１２…下向メススナップ、
１３…上向オススナップ、
１４…下向メススナップ（肩先連結部）、
１５…上向メススナップ（肩連結部）、
１６…下向オススナップ（中央肩連結部）、
１７…上向オススナップ（中央連結部）、
１８…上向メススナップ（脚連結部）。
【図１】
2010207293.tif 000003
【図２】
2010207293.tif 000004
【図３】
2010207293.tif 000005
【図４】
2010207293.tif 000006
【図５】
2010207293.tif 000007
【図６】
2010207293.tif 000008
【図７】
2010207293.tif 000009
【図８】
2010207293.tif 000010
【図９】
2010207293.tif 000011
【図１０】
2010207293.tif 000012
【手続補正書】
【提出日】平成21年3月13日(2009.3.13)
【手続補正１】
【補正対象書類名】図面
【補正対象項目名】図２
【補正方法】変更
【補正の内容】
【図２】
2010207293.tif 000013
【手続補正２】
【補正対象書類名】図面
【補正対象項目名】図３
【補正方法】変更
【補正の内容】
【図３】
2010207293.tif 000014
【手続補正３】
【補正対象書類名】図面
【補正対象項目名】図４
【補正方法】変更
【補正の内容】
【図４】
2010207293.tif 000015